(57)【要約】【課題】バッテリ駆動可能な外部機器と接続する手段を備えた情報処理装置において、外部機器から取得されるバッテリ残容量に応じて、コンテンツのエンコード条件を変更して再エンコードできるようにする。【解決手段】情報処理装置１０は、バッテリ駆動可能なポータブルＡＶ機器２０を接続する入出力Ｉ／Ｆ１１と、コンテンツを記憶した記憶手段１３と、コンテンツをエンコードするエンコーダ１７と、ポータブルＡＶ機器２０のバッテリ残容量を取得するバッテリ残容量取得手段１２と、ポータブルＡＶ機器２０に転送するコンテンツを記憶手段１３から選択するコンテンツ選択手段１４と、前記取得したバッテリ残容量で前記選択したコンテンツを全て再生可能かどうか判定する判定手段１６とを備える。エンコーダ１７は、判定手段１６の判定結果に応じて、エンコード条件を変更して前記選択したコンテンツを再エンコードする。【選択図】図１
2007034553.tif 000002
【特許請求の範囲】
【請求項１】
バッテリ駆動可能な外部機器を接続する手段を備えた情報処理装置において、コンテンツを記憶したコンテンツ記憶手段と、コンテンツをエンコードするエンコーダと、前記外部機器のバッテリ残容量を取得するバッテリ残容量取得手段と、前記外部機器に転送するコンテンツを前記コンテンツ記憶手段から選択するコンテンツ選択手段と、前記取得したバッテリ残容量で前記選択したコンテンツを全て再生可能かどうか判定する判定手段とを備え、前記エンコーダは、前記判定手段の判定結果に応じて、エンコード条件を変更して前記選択したコンテンツを再エンコードすることを特徴とする情報処理装置。
【請求項２】
請求項１に記載の情報処理装置において、コンテンツの再生に必要なバッテリ容量をエンコード条件毎に管理するバッテリ容量管理手段を備え、前記判定手段は、前記バッテリ容量管理手段を参照し、前記取得したバッテリ残容量で前記選択したコンテンツを全て再生可能かどうか判定することを特徴とする情報処理装置。
【請求項３】
請求項１又は２に記載の情報処理装置において、前記エンコーダは、前記判定手段により、前記取得したバッテリ残容量で前記選択したコンテンツを全て再生できないと判定された場合、前記選択したコンテンツを全て再生可能なエンコード条件に変更することを特徴とする情報処理装置。
【請求項４】
請求項１乃至３のいずれか１に記載の情報処理装置において、前記エンコーダは、前記エンコード条件として、コンテンツのビットレートを変更して前記選択したコンテンツを再エンコードすることを特徴とする情報処理装置。
【請求項５】
請求項１乃至３のいずれか１に記載の情報処理装置において、前記エンコーダは、前記エンコード条件として、コンテンツのフレームレートを変更して前記選択したコンテンツを再エンコードすることを特徴とする情報処理装置。
【請求項６】
請求項１乃至３のいずれか１に記載の情報処理装置において、前記エンコーダは、前記エンコード条件として、コンテンツの解像度を変更して前記選択したコンテンツを再エンコードすることを特徴とする情報処理装置。
【請求項７】
請求項１乃至６のいずれか１に記載の情報処理装置において、前記エンコーダは、前記エンコード条件として、エンコードの種類を変更して前記選択したコンテンツを再エンコードすることを特徴とする情報処理装置。
【発明の詳細な説明】
【技術分野】
【０００１】
本発明は、情報処理装置、より詳細には、バッテリ駆動可能な外部機器と接続し、該外部機器にコンテンツを転送する機能を備えたパーソナルコンピュータなどの情報処理装置に関する。
【背景技術】
【０００２】
パーソナルコンピュータ（以下、ＰＣ）などの情報処理装置に記録したコンテンツを、バッテリ駆動するポータブルＡＶ機器などの携帯端末機器に転送して視聴したい場合がある。一般に、ポータブルＡＶ機器のバッテリ容量は小さく、数時間のコンテンツを再生しようとすると、経年劣化などによりポータブルＡＶ機器のバッテリの残容量が不足して、せっかく転送したコンテンツを最後まで視聴できないということがあった。このような場合、ユーザは、予めコンテンツのビットレートを手動で変更した上で、ポータブルＡＶ機器に転送するなどの処理を行う必要があるが、通常、ユーザはバッテリ残容量とビットレートとの対応関係を把握していないため、感覚的にビットレートを変更するしかなかった。
【０００３】
ここで、特許文献１には、アナログ，デジタルのチャンネル変更を意識する必要をなくすと共に、消費電力を低減できるようにした情報処理装置が開示されている。この情報処理装置は、特に、バッテリ駆動可能なノート型ＰＣなどのモバイル機器を対象とし、デジタルテレビ放送を受信するデジタル放送受信手段と、アナログテレビ放送を受信するアナログ放送受信手段と、デジタル放送受信手段により受信した放送情報とアナログ放送受信手段により受信した放送情報とを視聴可能にする信号処理手段と、デジタル放送受信手段およびアナログ放送受信手段の動作状態を変更する受信機動作変更手段と、情報処理装置の動作状況を監視し該監視結果に応じて受信機動作変更手段に受信機の動作状態を変更する判定結果を送出する動作状況監視手段と、を備えたものである。
【特許文献１】特開２００４−５６１７８号公報
【発明の開示】
【発明が解決しようとする課題】
【０００４】
上記特許文献１に記載の発明は、バッテリ駆動可能なノート型ＰＣなどのモバイル機器において、受信した映像（電波）がアナログ放送か、デジタル放送かを選別し、その選別結果に応じて消費電力を抑えるようにしている。具体的には、デジタル放送受信手段とアナログ放送受信手段のいずれか一方を受信状態とし、他方を受信状態よりも消費電力が少ない状態にする。また、消費電力を抑えるために、ＭＰＥＧ（Ｍｏｖｉｎｇ  Ｐｉｃｔｕｒｅ  Ｅｘｐｅｒｔｓ  Ｇｒｏｕｐ）形式でエンコード可能なビットレートを変更するなどの処理を行う。
【０００５】
しかしながら、上記特許文献１では、モバイル機器自身が、消費電力を低減するために、ＭＰＥＧ形式でエンコード可能なビットレートに変更できるようにしているが、このビットレートとバッテリの残容量との対応関係は管理されておらず、ユーザは感覚的すなわち勘頼みでビットレートを変更するしかなかった。このため、たとえビットレートを変更したとしても、バッテリの残容量によっては、コンテンツの再生途中でバッテリ切れを起こしてしまう可能性があった。従って、モバイル機器のユーザは、コンテンツを最後まで視聴できないという事態を招来してしまう。
【０００６】
本発明は、上述のごとき実情に鑑みてなされたものであり、バッテリ駆動可能な外部機器と接続する手段を備えた情報処理装置において、外部機器から取得されるバッテリ残容量に応じて、コンテンツのエンコード条件を変更して再エンコード可能とし、外部機器において所望のコンテンツを最後まで視聴できるようにすること、を目的とする。
【課題を解決するための手段】
【０００７】
上記課題を解決するために、本発明の第１の技術手段は、バッテリ駆動可能な外部機器を接続する手段を備えた情報処理装置において、コンテンツを記憶したコンテンツ記憶手段と、コンテンツをエンコードするエンコーダと、前記外部機器のバッテリ残容量を取得するバッテリ残容量取得手段と、前記外部機器に転送するコンテンツを前記コンテンツ記憶手段から選択するコンテンツ選択手段と、前記取得したバッテリ残容量で前記選択したコンテンツを全て再生可能かどうか判定する判定手段とを備え、前記エンコーダは、前記判定手段の判定結果に応じて、エンコード条件を変更して前記選択したコンテンツを再エンコードすることを特徴としたものである。
【０００８】
第２の技術手段は、第１の技術手段において、コンテンツの再生に必要なバッテリ容量をエンコード条件毎に管理するバッテリ容量管理手段を備え、前記判定手段は、前記バッテリ容量管理手段を参照し、前記取得したバッテリ残容量で前記選択したコンテンツを全て再生可能かどうか判定することを特徴としたものである。
【０００９】
第３の技術手段は、第１又は第２の技術手段において、前記エンコーダは、前記判定手段により、前記取得したバッテリ残容量で前記選択したコンテンツを全て再生できないと判定された場合、前記選択したコンテンツを全て再生可能なエンコード条件に変更することを特徴としたものである。
【００１０】
第４の技術手段は、第１乃至第３のいずれか１の技術手段において、前記エンコーダは、前記エンコード条件として、コンテンツのビットレートを変更して前記選択したコンテンツを再エンコードすることを特徴としたものである。
【００１１】
第５の技術手段は、第１乃至第３のいずれか１の技術手段において、前記エンコーダは、前記エンコード条件として、コンテンツのフレームレートを変更して前記選択したコンテンツを再エンコードすることを特徴としたものである。
【００１２】
第６の技術手段は、第１乃至第３のいずれか１の技術手段において、前記エンコーダは、前記エンコード条件として、コンテンツの解像度を変更して前記選択したコンテンツを再エンコードすることを特徴としたものである。
【００１３】
第７の技術手段は、第１乃至第６のいずれか１の技術手段において、前記エンコーダは、前記エンコード条件として、エンコードの種類を変更して前記選択したコンテンツを再エンコードすることを特徴としたものである。
【発明の効果】
【００１４】
本発明によれば、バッテリ駆動可能な外部機器と接続する手段を備えた情報処理装置において、外部機器から取得されるバッテリ残容量に応じて、コンテンツのエンコード条件を変更して再エンコードできるため、外部機器において所望のコンテンツを最後まで視聴でき、バッテリの経年劣化等に起因して残容量が少ない場合でも、バッテリ切れによってコンテンツが視聴途中で途切れることがなくなる。
【発明を実施するための最良の形態】
【００１５】
図１は、本発明の一実施形態に係る情報処理装置及び外部機器の構成例を示すブロック図で、情報処理装置１０は、バッテリ駆動可能な外部機器（以下、ポータブルＡＶ機器）２０と接続される。情報処理装置１０は、ポータブルＡＶ機器２０を有線あるいは無線接続するための入出力インタフェース（入出力Ｉ／Ｆ）１１と、ポータブルＡＶ機器２０が備えるバッテリの残容量を取得するバッテリ残容量取得手段１２と、コンテンツを記憶するハードディスク（ＨＤ）などの記憶手段１３と、ポータブルＡＶ機器２０に転送するコンテンツを記憶手段１３から選択するためのコンテンツ選択手段１４と、コンテンツの再生に必要なバッテリ容量をエンコード条件毎に管理するバッテリ容量管理テーブル１５と、バッテリ残容量取得手段１２により取得したバッテリ残容量によってコンテンツ選択手段１４により選択したコンテンツを全て再生可能かどうか判定する判定手段１６と、コンテンツをエンコードするエンコーダ１７と、を備えている。
【００１６】
また、ポータブルＡＶ機器２０は、機器を制御するマイクロコンピュータ（以下、マイコン）２１と、コンテンツを記憶するためのハードディスク（ＨＤ）２２と、バッテリ２４を制御するための制御ＩＣ２３と、１次電池あるいは２次電池からなるバッテリ２４と、を備えている。マイコン２１及び制御ＩＣ２３からの制御に基づいてバッテリ２４の残容量を算出する。
【００１７】
ここで、バッテリ残容量取得手段１２、コンテンツ選択手段１４、及び判定手段１６は、本発明の情報処理装置１０としての機能を実行するためのプログラムであって、記憶手段１３あるいは後述するＲＯＭに格納され、実行時に、ＣＰＵによって、実行領域であるＲＡＭに読み出されて処理が実行される。
【００１８】
図２は、図１に示した情報処理装置１０のハードウェア構成を示す図である。情報処理装置１０は、主な構成として、装置全体の制御を行うＣＰＵ１と、実行領域であるＲＡＭ２と、制御プログラムやデータ等を格納したＲＯＭ３と、ＨＤ（ハードディスク）等で構成される記憶装置４（図１の記憶手段１３に相当する）と、ユーザからの各種操作入力を受け付けるための入力装置５と、画面上に各種情報を表示する表示装置６と、インターネットやＬＡＮ（Ｌｏｃａｌ  Ａｒｅａ  Ｎｅｔｗｏｒｋ）などの各種通信ネットワークに接続するための通信装置７と、プリンタ等の外部機器と接続して各種データを出力するための出力装置８と、これらＣＰＵ１，ＲＡＭ２，ＲＯＭ３，記憶装置４，入力装置５，表示装置６，通信装置７，及び出力装置８を相互に接続するシステムバス９と、を有する汎用のパーソナルコンピュータ（ＰＣ）である。
【００１９】
情報処理装置１０は、処理の途中経過や処理結果をＣＲＴ（Ｃａｔｈｏｄｅ  Ｒａｙ  Ｔｕｂｅ），ＬＣＤ（Ｌｉｑｕｉｄ  Ｃｒｙｓｔａｌ  Ｄｉｓｐｌａｙ）等の表示装置６を通じてユーザ等に提示し、各処理において、ユーザは、キーボード，マウス（ポインティングデバイス）等の入力装置５から必要なパラメータ等を入力指定することができる。
【００２０】
以下、情報処理装置１０及びポータブルＡＶ機器２０の詳細構成例について図１に基づいて説明する。情報処理装置１０の入出力Ｉ／Ｆ１１は、ポータブルＡＶ機器２０と有線あるいは無線接続するためのインタフェース手段で、ＵＳＢ（Ｕｎｉｖｅｒｓａｌ  Ｓｅｒｉａｌ  Ｂｕｓ），ＩＥＥＥ１３９４，ＬＡＮなどの有線接続や、無線ＬＡＮ，Ｂｌｕｅｔｏｏｔｈなどの無線接続などを利用することができる。
【００２１】
また、バッテリ残容量取得手段１２は、ポータブルＡＶ機器２０からバッテリ２４の残容量を取得する手段である。このバッテリ残容量取得手段１２により取得されたバッテリ２４の残容量は、図示しないメモリ等に格納される。
【００２２】
ポータブルＡＶ機器２０は、バッテリ駆動可能な携帯端末機器であって、コンテンツの再生機能と、バッテリ残容量の算出機能とを備えている。コンテンツ再生機能は、マイコン２１からの制御に基づいてＨＤ２２に記憶されたコンテンツを再生することにより実行され、また、バッテリ残容量算出機能は、マイコン２１が制御ＩＣ２３を制御して、バッテリ２４の残容量を算出することにより実行される。このポータブルＡＶ機器２０としては、例えば、携帯電話機、ＰＤＡ（Ｐｅｒｓｏｎａｌ  Ｄｉｇｉｔａｌ  Ａｓｓｉｓｔａｎｔ）、携帯型ＡＶプレーヤなど、バッテリ駆動可能な機器全般を対象とすることができる。
【００２３】
なお、バッテリ容量（放電容量）を算出する方法としては、例えば、定電流負荷を用いて電圧−時間の特性を測定することにより、放電容量（ｍＡｈ）を求めることができる。例えば、放電容量２０００ｍＡｈとは、放電終止電圧（例えば、２次電池で約１．０Ｖ、１次電池で約０．９Ｖとする）に達するまでの０．２Ｃ（４００ｍＡ）で５時間放電を続けられることを意味する。このように、放電容量は、電流と時間の積で表されることから、電流がわかれば放電時間をある程度見積もることが可能となる。上記放電終止電圧は、電池の特性から、どこまでの電圧なら安定に使うことができるかによって電池毎に設定される値である。
【００２４】
また、記憶手段１３にはＡＶコンテンツ等の各種コンテンツが記憶される。この際、情報処理装置１０は、ＤＶＤやメモリカードなどの外部記録媒体からコンテンツを取得してもよいし、インターネット等のネットワークを介してＷｅｂサイトからコンテンツを取得してもよい。また、情報処理装置１０は、デジタル放送を受信するためのデジタルチューナ及び／又はアナログ放送を受信するためのアナログチューナを備える構成とし、これらのチューナからコンテンツを取得するようにしてもよい。上記各手段により取得されたコンテンツは、ＭＰＥＧ形式などでエンコードされた状態で記憶手段１３に記憶される。
【００２５】
また、情報処理装置１０は、コンテンツの再生に必要なバッテリ容量をエンコード条件毎に管理するバッテリ容量管理テーブル１５を備える。このバッテリ容量管理テーブル１５は、記憶手段１３に記憶されるか、ＲＯＭ等の半導体メモリに記憶され、判定手段１６から参照される。
【００２６】
図３は、図１に示したバッテリ容量管理テーブル１５のデータ構造の一例を示す図である。バッテリ容量管理テーブル１５には、コンテンツのビデオフォーマットについて、再生に必要なバッテリ容量（ｍＡｈ）がエンコードの種類（本例では、ＭＰＥＧ１、ＭＰＥＧ２、ＭＰＥＧ４）毎に管理される。ここで、上記ビデオフォーマットとは、コンテンツのビットレート、データ量、解像度、フレームレートなどの値をパターン化したもので、複数パターンのビデオフォーマットが予め準備され、バッテリ容量管理テーブル１５に登録される。
【００２７】
コンテンツ選択手段１４は、ポータブルＡＶ機器２０に転送するコンテンツを記憶手段１３から選択するための手段である。例えば、情報処理装置１０の画面上にコンテンツリストを表示させ、そのリストからマウス等のポインティングデバイスを用いて、転送したいコンテンツを選択するようにしてもよい。この際、ユーザが選択するコンテンツの数は少なくとも１つ以上であればよく、複数のコンテンツを同時に選択してもよい。また、自動的にコンテンツを選択するようにしてもよい。この場合、記憶手段１３に記憶されたコンテンツに優先順位などを付与しておき、順番に選択する方法などが考えられる。
【００２８】
判定手段１６は、バッテリ残容量取得手段１２により取得されたバッテリ残容量によって、コンテンツ選択手段１４により選択したコンテンツを全て再生可能かどうか判定する手段である。この判定手段１６は、コンテンツ選択手段１４で選択したコンテンツのビットレート、データ量、解像度、フレームレートなどの値を取得し、これらの値からバッテリ容量管理テーブル１５を参照し、選択したコンテンツの再生に必要なバッテリ容量を求める。次に、求めたバッテリ容量と、バッテリ残容量取得手段１２により取得されたバッテリ残容量とを比較して、選択したコンテンツを全て再生可能かどうか判定する。
【００２９】
エンコーダ１７は、判定手段１６の判定結果に応じて、エンコード条件を変更して、コンテンツ選択手段１４により選択したコンテンツを再エンコードする。すなわち、判定手段１６により、バッテリ残容量取得手段１２により取得したバッテリ残容量によって、コンテンツ選択手段１４により選択したコンテンツを全て再生できないと判定された場合、選択したコンテンツを全て再生可能なエンコード条件に変更して再エンコードを行う。ここで、変更するエンコード条件とは、例えば、コンテンツのビットレート、フレームレート、解像度のいずれか１又は複数を含み、これらのエンコード条件を変更することによって、コンテンツのデータ量を低減して再エンコードを行う。
【００３０】
また、上記の方法で再エンコードしても、ポータブルＡＶ機器２０において当該コンテンツを全て再生できない場合、エンコードの種類を変更してもよい。例えば、ＭＰＥＧ２形式からＭＰＥＧ４形式に変更して再エンコードする。なお、エンコーダ１７は、ソフトウェア、ハードウェアのいずれで構成されていてもよい。
【００３１】
以下、ＭＰＥＧ２形式で各コンテンツがエンコードされて記憶手段１３に記憶されている場合を代表例として説明する。記憶手段１３には、例えば、ＭＰＥＧ２形式でエンコードされたコンテンツＡが記憶されている。コンテンツ選択手段１４によりコンテンツＡが選択され、このコンテンツＡのビットレート、データ量、解像度、フレームレートなどの値から、図３に示すバッテリ容量管理テーブル１５を参照し、コンテンツＡの再生に必要なバッテリ容量を求める。ここでは例えば２０００ｍＡｈとして求まったとする。
【００３２】
また、バッテリ残容量取得手段１２により取得したポータブルＡＶ機器２０のバッテリ２４の残容量が例えば１５００ｍＡｈとする。この場合、コンテンツＡ（ＭＰＥＧ２形式）をそのままポータブルＡＶ機器２０に転送しても、バッテリ２４の残容量が１５００ｍＡｈ（＜２０００ｍＡｈ）しかないため、ポータブルＡＶ機器２０がコンテンツＡを再生している途中でバッテリ２４の残容量が不足し、コンテンツＡを最後まで再生することができない。
【００３３】
上記において、判定手段１６は、ポータブルＡＶ機器２０においてコンテンツＡを最後まで再生できないと判定する。この判定結果に応じて、ポータブルＡＶ機器２０においてコンテンツＡが最後まで再生できる状態で転送できるように、エンコード条件（例えば、コンテンツのビットレート、フレームレート、解像度のいずれか１又は複数）を変更し、コンテンツＡを再エンコードする。この再エンコード処理では、判定手段１６がバッテリ容量管理テーブル１５を参照し、ポータブルＡＶ機器２０のバッテリ２４の残容量に応じて、最適なエンコード条件を決定する。エンコーダ１７は、判定手段１６により決定したエンコード条件に従って、コンテンツＡの再エンコードを行う。
【００３４】
このように、バッテリ２４の残容量に応じたエンコード条件で再エンコードすることにより、ポータブルＡＶ機器２０がコンテンツＡを再生している途中でバッテリ２４の残容量が不足することがなく、ポータブルＡＶ機器２０においてコンテンツＡを最後まで再生することが可能となる。
【００３５】
また、バッテリ残容量取得手段１２により取得したポータブルＡＶ機器２０のバッテリ２４の残容量が例えば２２００ｍＡｈ（＞２０００ｍＡｈ）であった場合、判定手段１６は、ポータブルＡＶ機器２０においてコンテンツＡを最後まで再生できると判定する。この場合、エンコーダ１７で再エンコードを行わずに、コンテンツＡをポータブルＡＶ機器２０に転送する。
【００３６】
上記の例では、エンコード条件として、エンコードの種類を変更せずに、例えば、コンテンツのビットレートを変更する、フレームレートを変更する、解像度を変更する、などの処理を施して、コンテンツのデータ量を変更しているが、エンコードの種類（ＭＰＥＧ１、ＭＰＥＧ２、ＭＰＥＧ４など）を変更するようにしてもよい。このように、情報処理装置１０は、ポータブルＡＶ機器２０のバッテリ残容量に応じて、コンテンツのエンコード条件を変更可能とし、ポータブルＡＶ機器２０においてコンテンツが最後まで再生できる状態で転送できるように構成されている。
【００３７】
図４は、図１に示した情報処理装置１０及びポータブルＡＶ機器２０間のコンテンツ転送処理の一例を説明するためのフロー図である。なお、本例では、情報処理装置１０をサーバコンピュータ１０として説明する。まず、ポータブルＡＶ機器２０がバッテリ２４の残容量を算出し、これをサーバコンピュータ１０が取得する（ステップＳ１）。サーバコンピュータ１０がバッテリ２４の残容量を取得する方法としては、サーバコンピュータ１０からポータブルＡＶ機器２０にアクセスしてバッテリ残容量を取得するようにしてもよいし、ポータブルＡＶ機器２０からサーバコンピュータ１０にアクセスしてバッテリ残容量を通知するようにしてもよい。
【００３８】
次に、サーバコンピュータ１０は、ユーザ操作もしくは自動的に、ポータブルＡＶ機器２０に転送するＡＶコンテンツを、サーバコンピュータ１０内のＨＤ１３から選択し（ステップＳ２）、選択したＡＶコンテンツ全てがポータブルＡＶ機器２０のバッテリ２４の残容量で再生できるかどうかを演算する（ステップＳ３）。
【００３９】
次に、サーバコンピュータ１０は、上記ステップＳ３の演算結果より、選択したＡＶコンテンツがバッテリ２４の残容量で再生できるかどうかを判定し（ステップＳ４）、バッテリ２４の残容量で再生できると判定した場合（ＹＥＳの場合）、該当するＡＶコンテンツをＨＤ１３より入力し、ポータブルＡＶ機器２０に転送する（ステップＳ５）。また、上記ステップＳ４において、バッテリ２４の残容量で再生できないと判定した場合（ＮＯの場合）、該当するＡＶコンテンツをＨＤ１３より入力し、バッテリ２４の残容量に応じたエンコード条件でＡＶコンテンツを再エンコードし、ポータブルＡＶ機器２０に転送する（ステップＳ６）。
【００４０】
以上、本発明によれば、バッテリ駆動可能な外部機器と接続する手段を備えた情報処理装置において、外部機器から取得されるバッテリ残容量に応じて、コンテンツのエンコード条件を変更して再エンコードできるため、外部機器において所望のコンテンツを最後まで視聴でき、バッテリの経年劣化等に起因して残容量が少ない場合でも、バッテリ切れによってコンテンツが視聴途中で途切れることがなくなる。
【図面の簡単な説明】
【００４１】
【図１】本発明の一実施形態に係る情報処理装置及び外部機器の構成例を示すブロック図である。
【図２】図１に示した情報処理装置のハードウェア構成を示す図である。
【図３】図１に示したバッテリ容量管理テーブルのデータ構造の一例を示す図である。
【図４】図１に示した情報処理装置及びポータブルＡＶ機器間のコンテンツ転送処理の一例を説明するためのフロー図である。
【符号の説明】
【００４２】
１…ＣＰＵ、２…ＲＡＭ、３…ＲＯＭ、４…記憶装置、５…入力装置、６…表示装置、７…通信装置、８…出力装置、９…システムバス、１０…情報処理装置（サーバコンピュータ）、１１…入出力Ｉ／Ｆ、１２…バッテリ残容量取得手段、１３…記憶手段（ＨＤ）、１４…コンテンツ選択手段、１５…バッテリ容量管理テーブル、１６…判定手段、１７…エンコーダ、２０…ポータブルＡＶ機器、２１…マイクロコンピュータ（マイコン）、２２…ハードディスク（ＨＤ）、２３…制御ＩＣ、２４…バッテリ。
【図１】
2007034553.tif 000003
【図２】
2007034553.tif 000004
【図３】
2007034553.tif 000005
【図４】
2007034553.tif 000006